(57)【要約】【課題】金型装置を成形機に取り付けた状態であっても、固定側と可動側の相対的な位置ズレを作業者が確認しながら最も最適な状態に調整することを可能とする。【解決手段】金型装置は、複数の光学面を有する光学素子を成形する。固定側型板３と可動側型板５との相対的な位置ズレを検出する第１の変位センサー２１と、固定側型板３と可動側型板５とを相対的に位置決めする位置決め手段１３と、固定側型板３及び可動側型板５にそれぞれ埋設されて部品形状を転写するためのキャビティを形成する固定側中子４及び可動側中子６と、固定側中子４または可動側中子６の内の少なくとも一方の型板内における位置ズレを検出する第２の変位センサー４０と、固定側中子４または可動側中子６の内の少なくとも一方を金型開閉方向との直交方向に位置調整する少なくとも１つ以上の中子位置調整手段１７と、固定側中子４及び可動側中子６に埋設されて光学素子の光学面を転写する鏡面コア１１，１２と、鏡面コア１１，１２の金型開閉方向との直交方向の位置を案内する鏡面コア案内手段とを有する。【選択図】　図１
2004098443.tif 000002
【特許請求の範囲】
【請求項１】
複数の光学面を有する光学素子を成形する金型装置であって、
固定側型板と可動側型板との相対的な位置ズレを検出する第１の変位センサーと、
固定側型板と可動側型板とを相対的に位置決めする位置決め手段と、
固定側型板及び可動側型板にそれぞれ埋設されて部品形状を転写するためのキャビティを形成する固定側中子及び可動側中子と、
固定側中子または可動側中子の内の少なくとも一方の型板内における位置ズレを検出する第２の変位センサーと、
固定側中子または可動側中子の内の少なくとも一方を金型開閉方向との直交方向に位置調整する少なくとも１つ以上の中子位置調整手段と、
固定側中子及び可動側中子に埋設されて光学素子の光学面を転写する鏡面コアと、
鏡面コアの金型開閉方向との直交方向の位置を案内する鏡面コア案内手段とを有することを特徴とする光軸位置補正機能を有する金型装置。
【請求項２】
前記第１の変位センサー及び第２の変位センサーは、相互に直交する方向にそれぞれ少なくとも一つずつ配置されていることを特徴とする請求項１記載の光軸位置補正機能を有する金型装置。
【請求項３】
前記中子位置調整手段は、前記固定側中子または可動側中子を金型開閉方向との直交方向に弾性的に押圧する中子押圧手段と、それぞれの型板に対する固定側中子または可動側中子の位置調整を行う中子位置調整部材とを有していることを特徴とする請求項１記載の光軸位置補正機能を有する金型装置。
【請求項４】
前記中子位置調整手段における中子調整方向は、前記第２の変位センサーの変位検出方向と略同一方向であることを特徴とする請求項１〜３のいずれかに記載の光軸位置補正機能を有する金型装置。
【請求項５】
前記第１の変位センサー及び／または第２の変位センサーが近接する部位に、変位センサーの出力を最も線形性を保ち得る部材が配置されていることを特徴とする請求項１記載の光軸位置補正機能を有する金型装置。
【請求項６】
前記鏡面コア案内手段は、鏡面コアの外周の複数箇所から鏡面コアを案内することを特徴とする請求項１記載の光軸位置補正機能を有する金型装置。
【発明の詳細な説明】
【０００１】
【発明の属する技術分野】
本発明は、光学面の位置精度を向上させることにより極めて良好な光学性能を有した光学素子を成形することが可能な金型装置に関する。
【０００２】
【従来の技術】
非球面、球面、自由曲面等の光学機能面を備えたカメラ用あるいはヘッドマウントディスプレイ用等のレンズ、プリズムは熱可塑性材料を用いた射出成形等によって製作されている。これらのレンズ、プリズムの光学面形状やその位置関係を設計値通りに再現するためには、光学面を形成する金型のキャビティ面の形成や位置決めなどに非常に高度な機械加工や組み立て技術が要求される。特に、光線入射面及び出射面以外に裏側反射面に自由曲面などのような曲率を備えた光学面を有する光学素子を成形加工する場合には、要求される技術は更に高度なものとなっている。
【０００３】
このような複数の光学面で構成された光学素子を製作する場合、各光学面毎に対する鏡面コアを金型に設け、個々の鏡面コアにそれぞれの光学面を転写させることが一般的になされている。この場合、光学素子の偏心や相対的な光学面の位置ズレを寸法許容差内に抑えるためには、鏡面コアを組み込む中子との嵌合代を極めて小さくしたり、鏡面コアを含む各金型部品の寸法精度を厳しくする必要がある。
【０００４】
このため、特開平５−９６５８０号公報には、入子を組むための互いに直角な型板の内壁面に対して垂直な軸力を発生させるネジ軸を設け、このネジ軸の先端に入子外壁と対向する入子押さえ板を設け、入子押さえ板によって入子外壁を型板内壁に押し付ける構造が開示されている。しかしながら、この構造では、部品寸法や組立に誤差を生じることにより、各部材間にガタを生じて偏心、位置ズレが発生するのに加え、嵌合代が小さすぎる場合には、鏡面コアにストレスや歪みが発生して成形される光学素子そのものに悪影響を及ぼす問題がある。さらに、部材の寸法精度を向上させても、要求される偏心寸法許容差に抑えることが不可能な場合には、最終的には、金型部材間の位置調整を行う必要も生じる。
【０００５】
このような問題点に対し、特開２０００−１５３５４４号公報には、光学面を成形するキャビティ面を、光学面を複数の面に分割する鏡面コアによって構成し、この鏡面コアの互いに接触する接触面に光学面から始まる溝部を形成すると共に、鏡面コアを収容する入子の基準位置に鏡面コアを押圧する押圧手段を備えた構造の金型が開示されている。この構成により、鏡面コアに歪みやガタを生ずることなく、常に基準の位置に鏡面コアを配置可能として偏心精度やその再現性の向上を行うものである。
【０００６】
【発明が解決しようとする課題】
しかしながら、上述した特開２０００−１５３５４４号公報の構造では、鏡面コアを入子の基準位置に押圧する押圧手段を設けて偏心や位置ズレを許容範囲内に抑えたとしても、光学素子の光学面間の偏心やズレ量を相殺するだけの適当な量だけの押圧量を設定することができない問題がある。また、鏡面コアに形成される光学面の軸芯位置が鏡面コアの基準面に対してズレを生じている場合は、その分だけ金型上で偏心が発生する。仮に鏡面コアを基準位置に接触させることなく、鏡面コアを入子内で固定することができたとしても、偏心、位置ズレを許容範囲内に調整することは多大な工数と労力を要する問題を有している。
【０００７】
本発明は以上の従来の問題点を考慮してなされたものであり、固定側型板及び可動側型板の相対的な位置ズレやこれらの型板に埋設される中子の位置を変位センサーにより検出し、その検出値に応じて中子位置を調整可能な機構を設けることにより、極めて偏心精度の高い光学素子を製作することが可能な金型装置を提供することを目的とする。
【０００８】
【課題を解決するための手段】
上記目的を達成するため、請求項１の発明の光軸位置補正機能を有する金型装置は、複数の光学面を有する光学素子を成形する金型装置であって、固定側型板と可動側型板との相対的な位置ズレを検出する第１の変位センサーと、固定側型板と可動側型板とを相対的に位置決めする位置決め手段と、固定側型板及び可動側型板にそれぞれ埋設されて部品形状を転写するためのキャビティを形成する固定側中子及び可動側中子と、固定側中子または可動側中子の内の少なくとも一方の型板内における位置ズレを検出する第２の変位センサーと、固定側中子または可動側中子の内の少なくとも一方を金型開閉方向との直交方向に位置調整する少なくとも１つ以上の中子位置調整手段と、固定側中子及び可動側中子に埋設されて光学素子の光学面を転写する鏡面コアと、鏡面コアの金型開閉方向との直交方向の位置を案内する鏡面コア案内手段とを有することを特徴とする。
【０００９】
この発明において、位置決め手段は、金型開閉動作や金型脱着操作などのような作業の前後において、型閉をした際に、固定側型板と可動側型板の相対的な位置関係が常に同一となるように位置決めする。第１の変位センサーは、金型開閉時や成形機への取付時などにおいて発生する固定側型板及び可動側型板の相対的ズレ量を検出して出力する。従って、位置決め手段による位置決めが一定でなくなったとき、第１の変位センサーの出力を参照することにより、固定側型板と可動側型板の相対的な位置関係を最適位置に調整することができる。
【００１０】
第２の変位センサーは、固定側中子または可動側中子の内の少なくとも一方の型板内における位置ズレを検出して出力する。従って、第２の変位センサーの出力を参照することにより、固定側中子または可動側中子を最適位置に調整することができ、これに伴って、固定側中子、可動側中子の鏡面コアも同時に最適位置に調整することができる。
【００１１】
従って、このような請求項１の発明では、金型を成形機に取り付けた状態であっても、固定側と可動側との相対的な位置ズレを作業者がリアルタイムに確認しながら最適な状態に調整することが可能となる。
【００１２】
請求項２の発明は、請求項１記載の光軸位置補正機能を有する金型装置であって、前記第１の変位センサー及び第２の変位センサーは、相互に直交する方向にそれぞれ少なくとも一つずつ配置されていることを特徴とする。
【００１３】
このように変位センサーを直交する方向に配置することにより、正確な検出を行うことが可能となる。
【００１４】
請求項３の発明は、請求項１記載の光軸位置補正機能を有する金型装置であって、前記中子位置調整手段は、前記固定側中子または可動側中子を金型開閉方向との直交方向に弾性的に押圧する中子押圧手段と、それぞれの型板に対する固定側中子または可動側中子の位置調整を行う中子位置調整部材とを有していることを特徴とする。
【００１５】
この発明において、中子位置調整部材が中子押圧手段による押圧状態で、固定側中子、可動側中子を位置調整するため、微妙な位置調整を行うことが可能となる。
【００１６】
請求項４の発明は、請求項１〜３のいずれかに記載の光軸位置補正機能を有する金型装置であって、前記中子位置調整手段における中子調整方向は、前記第２の変位センサーの変位検出方向と略同一方向であることを特徴とする。
【００１７】
このように中子位置調整方向を第２の変位センサーの検出方向と略同一方向とすることにより、中子の位置調整を簡単に行うことができる。
【００１８】
請求項５の発明は、請求項１記載の光軸位置補正機能を有する金型装置であって、前記第１の変位センサー及び／または第２の変位センサーが近接する部位に、変位センサーの出力を最も線形性を保ち得る部材が配置されていることを特徴とする。
【００１９】
このようにすることにより、変位センサーの出力を最も線形性を保つことができるため、正確な検出を行うことができる。
【００２０】
請求項６の発明は、請求項１記載の光軸位置補正機能を有する金型装置であって、前記鏡面コア案内手段は、鏡面コアの外周の複数箇所から鏡面コアを案内することを特徴とする。
【００２１】
このように鏡面コアの外周の複数箇所から鏡面コアを案内する構造により、鏡面コアを正確に位置決め案内することができる。従って、偏心精度が高く、高い解像力を有した光学素子を成形することができる。
【００２２】
【発明の実施の形態】
以下、本発明を図示する実施の形態により具体的に説明する。なお、各実施の形態において、同一の部材には同一の符号を付して対応させてある。
【００２３】
（実施の形態１）
図１〜図７は本発明の実施の形態１を示し、図１は金型装置全体の側面図、図２は固定側中子を可動側から見た正面図、図３は金型装置のキャビティ部分の断面図、図４は中子位置調整部材の斜視図、図５は鏡面コアと鏡面コア案内手段との関係を示す正面図、図６及び図７は軸芯調整の手順を示す側面図である。
【００２４】
図１に示すように、この実施の形態の金型装置は、固定側取付板２に取り付けられた固定側型板３と、可動側取付板８に取り付けられた可動側型板５とが対向しており、合わせ面３８を境に開閉するようになっている。固定側型板３及び可動側型板５には、固定側中子４及び可動側中子６がそれぞれ埋設されると共に、固定側中子４及び可動側中子６に固定側鏡面コア１１及び可動側鏡面コア１２がそれぞれ埋設されている。そして、これらによって、光学レンズ（光学素子）を成形するキャビティ２２が形成され、一つの光学レンズの光学面を分割して転写している。
【００２５】
図２に示すように、固定側中子４は固定側型板３とクリアランス３０を介して埋設されている。固定側中子４及び可動側中子６は、それぞれボルト３５、３６によって金型合わせ面３８側から複数箇所を固定されている。また、図１に示すように、固定側鏡面コア１１は、その底面がボルト２３により固定側中子４に固定されている。この固定側鏡面コア１１は図３に示すように、クリアランス３１を介して固定側中子４に埋設されている。一方、可動側鏡面コア１２は、キャビティ２２との反対側がフランジ形状となっており、このフランジ形状部分が突き出し板９、１０に挟まれることによりこれらに連結されている。
【００２６】
固定側型板３の外面には、可動側型板５側に伸びるベンド形状のセンサーホルダー２０が取り付けられており、センサーホルダー２０には、第１の変位センサーとしての非接触式の渦電流式変位センサー２１が可動側型板５の外面に臨むように取り付けられている。渦電流式変位センサー２１は、その変位検出面２１ａと可動側型板５の側面との距離を０．１〜０．５ｍｍの範囲で保つようにセンサーホルダー２０に固定されるものである。
【００２７】
図２に示すように、固定側中子４は矩形の外形となっており、この固定側中子４が固定側型板３と接触する４側面の内、直交する２側面には、第２の変位センサーとしての渦電流式変位センサー４０が設けられている。すなわち、固定側中子４の４側面の内、紙面の上側側面と左側側面付近に対応する固定側型板３の対応部分にセンサー固定部４３が形成され、このセンサー固定部４３に渦電流式変位センサー４０が固定されている。渦電流式変位センサー４０は、その変位検出面４０ａと固定側中子４との距離を０．１〜０．５ｍｍとなるように位置決めがなされている。
【００２８】
以上の第１の変位センサー及び第２の変位センサーを構成する渦電流式変位センサー２１、４０は、配線３９を介してアンプ４１と電気的に接続されており、このアンプ４１を介して出力表示を行うカウンタ４２に接続されている。
【００２９】
さらに、渦電流式変位センサー２１及び４０のそれぞれの変位検出面２１ａ、４０ａに臨む可動側型板５及び固定側中子４には、図１及び図２に示すように、各センサー２１、４０のインピーダンス出力を最も線形に保ち得る材質のプレート状の部材４５、４６が埋設されている。これらの部材４５，４６は、それぞれのセンサ２１，４０の変位検出面２１ａ、４０ａに近接するように配置されている。インピーダンス出力を最も線形に保ち得る部材４５、４６の材質としては、ＳＵＳ系材やＳＫＤ材のような焼入れ焼戻し鋼等を用いることができる。
【００３０】
図１、図６及び図７に示すように、固定側中子４を側面から押圧する押圧ピン１７が固定側型板３に設けられている。押圧ピン１７の背面には、コイルバネ１８を介してスクリュープラグ１９が配置されている。これらは、全て固定側型板３の側面に連通するように形成されたピン穴、ボルト穴の中にそれぞれ埋設されるものであり、固定側中子４の変位を検出するための渦電流式変位センサー４０の直下にそれぞれ対をなして設置されている。これらの押圧ピン１７，コイルバネ１８及びスクリュープラグ１９は、固定側中子４を金型開閉方向との直交方向に弾性的に押圧する中子押圧手段として機能する。
【００３１】
図１，図３，図６及び図７に示すように、固定側中子４と固定側型板３との間には、楔形状のブロック材１５が設けられている。楔形状のブロック材１５は、固定側中子４を金型開閉方向との直交方向に位置調整するものであり、金型合わせ面３８側から次第に厚みを減ずる方向となるようにその形状が設定されている。すなわち、図３及び図４に示すように、ブロック材１５はその一側面２６がテーパ面となっており、他の側面が垂直面となって形成されている。この楔形状のブロック材１５は、コイルバネ２４を介してボルト１６により固定側型板３と連結されている。また、図２に示すように、ブロック材１５は、渦電流式変位センサー４０の設置位置とは反対側で、且つ渦電流式変位センサー４０と対をなすように配置されるものである。かかる楔状のブロック材１５は、固定側型板３に対する固定側中子４の位置調整を行う中子位置調整部材として機能するものである。そして、この楔状のブロック材１５からなる中子位置調整部材及び押圧ピン１７，コイルバネ１８、スクリュープラグ１９からなる中子押圧手段によって金型開閉方向との直交方向に固定側中子４を位置調整する中子位置調整手段が構成されている。
【００３２】
図２及び図５に示すように、固定側鏡面コア１１及び可動側鏡面コア１２は、固定側中子４及び可動側中子６にそれぞれ形成される雌ねじ部に螺合されたボールプランジャ２５及び２５ａにより、その外周の３箇所をそれぞれ支持されている。ボールプランジャ２５，２５ａは、その先端のボールが固定側鏡面コア１１及び可動側鏡面コア１２に弾性的に当接しており、固定側中子４及び可動側中子６の雌ねじ部への螺合長を調整することにより、固定側鏡面コア１１及び可動側鏡面コア１２に対して金型開閉方向との直交方向の位置を案内する。これにより、ボールプランジャ２５及び２５ａは、固定側鏡面コア１１及び可動側鏡面コア１２の鏡面コア案内手段として機能する。この場合、ボールプランジャ２５及び２５ａが外周の３箇所に設けることにより、固定側鏡面コア１１及び可動側鏡面コア１２を確実に案内することが可能となっている。
【００３３】
図１、図６及び図７に示すように、固定側型板３には、テーパピン１３が取り付けられ、可動側型板５のテーパピン１３との対向部分には、テーパピン１３が嵌合するテーパ受け穴１４が形成されている。これらのテーパピン１３及びテーパ受け穴１４は、固定側型板３及び可動側型板５を相対的に位置決めする位置決め手段となっている。
【００３４】
なお、図１において、符号１は図示を省略した成形機と位置決めするためのロケートリング、符号７は、突き出し板９、１０の可動エリアを確保するためのスペーサである。
【００３５】
次に、この実施の形態による軸芯調整を図６及び図７により説明すると、図６は固定側および可動側の軸芯調整前を、図７は軸芯調整後の状態を示す。
【００３６】
固定側型板３及び可動側型板５の相対的な位置関係は、型閉の際に、固定側型板３に固定されたテーパピン１３が可動側型板５に形成されたテーパ受け穴１４に嵌合することにより常に一定となる。この関係は、固定側型板３と可動側型板５の位置関係を検出する渦電流式変位センサー２１によって検出し、アンプ４１を経てカウンタ４２に変位を出力することにより、常に相互の位置関係を監視することができる。従って、例えばテーパピン１３やテーパ受け穴１４の摩耗によって位置関係が一定でなくなったときに迅速な対処を行うことができるようになっている。
【００３７】
また、固定側鏡面コア１１及び可動側鏡面コア１２の金型開閉方向に対する直交方向の位置はボールプランジャ２５による各コア１１、１２の外周の案内により、常に一定の位置に設定されている。この実施の形態では、ボールプランジャ２５を用いることにより、弾性部材を介した案内となっているため、各鏡面コア１１，１２の金型開閉方向への脱着を容易に行うことが可能となっている。
【００３８】
一方、初期段階では、固定側型板３及び可動側型板５に埋設される固定側中子４及び可動側中子６の相対的な位置関係や固定側鏡面コア１１及び可動側鏡面コア１２の相対的な位置関係については、それぞれの埋設位置や加工誤差などにより図６に示すようにお互いに一定のズレ量を有している。この状態の金型装置によりキャビティー２２に樹脂を充填し、冷却固化してレンズを製作したとしても常にそのズレ量分だけ偏心したレンズが製作され、所望の性能を満足することができない。このズレ量を補正するために、ボルト１６を用いて楔状のブロック材１５を押し込んだり緩めたりする。このことにより、固定側中子４における金型開閉方向との直交方向の位置を高精度に調整することができる。
【００３９】
図７は、楔状のブロック材１５を押し込む方向に調整することにより、キャビティー２２の偏心を最小の状態に調整した場合を示す。この調整に先立って、初期の調整前の金型状態でレンズを成形し、このレンズのレンズ面間の偏心を計測する。このときのレンズ面間の偏心が、この後における固定側中子４の調整量となる。
【００４０】
調整は、まず、固定側型板３と可動側金型５の合わせ面３８を離間し、図１に示す固定側中子４、可動側中子６をそれぞれ固定するボルト３５、３６を予め緩めておく。そして、楔状のブロック材１５のボルト１６を締め付ける。これにより、ブロック材１５は紙面上、下方にスライドし、同時に固定側中子４は、ブロック材１５のテーパ面２６の作用により、紙面上左方向にスライドする。これにより、固定側鏡面コア１１もボールプランジャ２５に支持されながら固定側中子４と一体となって同方向にスライドする。
【００４１】
固定側中子４の挙動は、渦電流式変位センサー４０により常に検出されており、アンプ４１を介してカウンタ４２に表示されているため、作業者はカウンタ４２の表示値を確認しながら固定側中子４の最適位置を効率的に設定することができる。この場合、仮に固定側中子４の位置が最適な位置を通り越しても、コイルバネ１８を背面に介した押圧ピン１７により固定側中子４には常に紙面上右方向に付勢力が作用しているため、ブロック材１５を上方へスライドすることにより、固定側中子４は右方向に戻り移動することができる。
【００４２】
なお、楔状のブロック材１５と固定側型板３との間には、コイルバネ２４が挿入されているため、ブロック材１５には常に上方への付勢力が作用しているため、ボルト１６を緩めた場合に、ブロック材１５が固定側中子４や可動側型板３との摩擦力により思い通りに上方ヘスライドしなくなるなどの不具合は生じない。
【００４３】
以上によって、調整が終了した後、図１に示すボルト３５、３６を締め込むことにより、調整作業が完了する。
【００４４】
このような実施の形態によれば、金型を成形機に取り付けた状態であっても、固定側と可動側の相対的な位置ズレを作業者がリアルタイムに確認をしながら最適な状態に調整することができるため、レンズの偏心量に応じて金型の修正加工を行うなどの従来からの手法に比べて極めて迅速かつ正確に偏心量の少ないレンズを成形することができる。
【００４５】
（実施の形態２）
図８は実施の形態２を示し、固定側中子４を金型の合わせ面側から見た正面図である。
【００４６】
この実施の形態においても、楔状のブロック材１５が矩形状に成形されており、このブロック材１５が固定側中子４内に埋設されるが、ブロック材１５は、固定側中子４における４辺に対して対をなすように組み込まれている。すなわち、ブロック材１５は図８における上下方向及び左右方向の位置に配置されるものである。このように上下方向及び左左方向にそれぞれ対をなすようにブロック材１５が固定側中子４に埋設されていることにより、固定側中子４をさらに強固に固定することができるため、金型の開閉を繰り返す際に固定側中子４の位置が微妙にドリフトしていくような現象が生じることがなくなる。
【００４７】
従って、この実施の形態によれば、迅速かつ正確に調整された固定側中子４の位置を長期にわたって安定させることができるため、偏心精度の優れたレンズ等の光学素子を極めて高い工程能力で製造することが可能となる。
【００４８】
（実施の形態３）
図９は実施の形態３を示し、固定側中子４を金型合わせ面側から見た正面図である。
【００４９】
この実施の形態において、第２の変位センサーとしての渦電流式変位センサー４０は、矩形状の固定側中子４における隣接した辺に対し、２セットずつ近接するように配置されている。すなわち、固定側中子４の側面に近接する渦電流式変位センサー４０は、固定側中子４の上側側面と左側側面のそれぞれに対し、２セットずつ一定の離間距離を有して設置されるものである。
【００５０】
このように固定側中子４の側面の内、２つの側面に２セットずつ渦電流式変位センサー４０が設置されていることにより、楔状のブロック材１５や固定側中子４の加工精度や組立精度が良好でなく、固定側中子４の位置調整時に、金型の開閉方向を軸としたときの軸回り方向に沿った回転が発生した場合、固定側中子４一方の側面に近接している２つの渦電流式変位センサー４０は、異なる数値を出力する。この場合、予め計測しておいたレンズの偏心量を相殺する量だけ固定側中子４を調整したとしても余計な回転も加わっているために目的とする偏心精度を得ることができない。このような不具合現象の有無を、作業者は渦電流式変位センサー４の出力値を確認することで事前に知ることができる。
【００５１】
このように、この実施の形態によれば、偏心調整作業の正確性を変位出力値の傾向から即座に確認することができるため、金型製作から量産展開までの作業効率を飛躍的に高めることが可能となる。
【００５２】
本発明は、以上の実施の形態に限定されることなく、種々変形が可能である。例えば、渦電流式変位センサー４０からなる第２の変位センサーは、可動側中子６の可動側型板５に対する位置ズレを検出しても良く、固定側中子４及び可動側中子６の双方の位置ズレを検出しても良い。また、中子調整手段は、可動側中子６を金型開閉方向と直交する方向に位置調整しても良く、固定側中子４及び可動側中子６の双方を位置調整しても良い。
【００５３】
さらに、第１の変位センサー及び第２の変位センサーとして、耐熱性の接触式のリニアゲージ等を用いることができ、位置決め部材としてノックピンを用いても良く、固定側中子４及び可動側中子６を円柱形状の外形としても良い。また、中子位置調整手段の構成部材である楔状のブロック体１５に代えてネジを用いることができ、鏡面コア案内手段としてもネジを用いることができる。
【００５４】
さらに、また、成形される光学素子がシリンドリカルレンズ等の場合には、１方向に位置ズレを検出するだけで良いため、第１の変位センサー及び第２の変位センサーとしては、直交方向に配置することなく、１方向に配置するだけでも良い。
【００５５】
以上の説明から、本発明は、次の付記項に示す技術的思想を包含するものである。
【００５６】
（付記項１）　複数の光学面を有する光学素子を成形する金型装置であって、固定側型板と可動側型板との相対的な位置ズレを検出する第１の変位センサーと、
固定側型板と可動側型板とを相対的に位置決めする位置決め手段と、
固定側型板及び可動側型板にそれぞれ埋設されて部品形状を転写するためのキャビティを形成する固定側中子及び可動側中子と、
固定側中子または可動側中子の内の少なくとも一方の型板内における位置ズレを検出する第２の変位センサーと、
固定側中子または可動側中子の内の少なくとも一方を金型開閉方向との直交方向に位置調整する少なくとも１つ以上の中子位置調整手段と、
固定側中子及び可動側中子に埋設されて光学素子の光学面を転写する鏡面コアと、
鏡面コアの金型開閉方向との直交方向の位置を案内する鏡面コア案内手段とを有することを特徴とする光軸位置補正機能を有する金型装置。
【００５７】
付記項１の発明によれば、固定側と可動側との相対的な位置ズレを作業者がリアルタイムに確認しながら最適な状態に調整することができる。
【００５８】
（付記項２）　前記中子位置調整手段は、固定側中子または可動側中子の型板に対する位置調整を行う楔形状のブロック材を備えていることを特徴とする付記項１記載の光軸位置補正機能を有する金型装置。
【００５９】
付記項２の発明によれば、ブロック材が楔状となっているため、固定側中子または可動側中子の位置調整を簡単に行うことができる。
【００６０】
（付記項３）　前記第１の変位センサーまたは第２の変位センサーの少なくとも一方は渦電流式変位センサーであることを特徴とする付記項１記載の光軸位置補正機能を有する金型装置。
【００６１】
付記項３の発明によれば、渦電流式変位センサーのため、変位を正確に検出することができる。
【００６２】
（付記項４）　前記鏡面コア案内手段は、ボールプランジャ式ガイド部材を備えていることを特徴とする付記項１記載の光軸位置補正機能を有する金型装置。
【００６３】
付記項４の発明によれば、弾性を有して鏡面コアを案内することができるため、案内を容易に行うことができる。
【００６４】
（付記項５）　付記項１〜４のいずれかに記載の金型装置によって成形されたことを特徴とする光学素子。
【００６５】
付記項５の発明によれば、極めて偏心精度の光学素子とすることができる。
【００６６】
【発明の効果】
以上説明したように、本発明によれば、金型装置を成形機に取り付けた状態であっても、固定側と可動側の相対的な位置ズレを作業者がリアルタイムに確認しながら最適な状態に調整することができるため、光学素子の偏心量に応じて金型の修正加工を行うなどの従来からの手法に比べて極めて迅速かつ正確に調整することができ、これにより、偏心量の少ない光学素子を長期間安定して成形することができる。
【図面の簡単な説明】
【図１】本発明の実施の形態１の金型装置全体の側面図である。
【図２】固定側中子を可動側から見た正面図である。
【図３】金型装置のキャビティ部分の断面図である。
【図４】中子位置調整部材の斜視図である。
【図５】鏡面コアと鏡面コア案内手段との関係を示す正面図である。
【図６】軸芯調整前の側面図である。
【図７】軸芯調整後の側面図である。
【図８】本発明の実施の形態２の固定側中子を可動側から見た正面図である。
【図９】本発明の実施の形態３の固定側中子を可動側から見た正面図である。
【符号の説明】
２　固定側型板
４　固定側中子
５　可動側型板
６　可動側中子
１１　固定側鏡面コア
１２　可動側鏡面コア
１３　テーパピン
１５　楔状のブロック材
２１、４０　渦電流式変位センサー
【図１】
2004098443.tif 000003
【図２】
2004098443.tif 000004
【図３】
2004098443.tif 000005
【図４】
2004098443.tif 000006
【図５】
2004098443.tif 000007
【図６】
2004098443.tif 000008
【図７】
2004098443.tif 000009
【図８】
2004098443.tif 000010
【図９】
2004098443.tif 000011